(57)【要約】【課題】郵便物投入ラインから送り込まれた郵便物の移載可能時間を延長して郵便物仕分けラインの搬送バスケットにタイミングを良く確実に移載することができる郵便物仕分配送用移載装置を提供すること。【解決手段】郵便物受取時に仕分配送用回転盤１１０の外周縁に付設された移載バスケット１２０の受入口１２１を郵便物投入ラインＩに指向させた状態に持続させるとともに郵便物受渡時に移載バスケット１２０と郵便物仕分けラインＯの搬送バスケットＢとを同期して並進させるように揺動する移載タイミングレバー１４０が仕分配送用回転盤１１０に軸着されている郵便物仕分配送用移載装置１００。【選択図】　　図３
2004026458.tif 000002
【特許請求の範囲】
【請求項１】
郵便物投入ラインから送り込まれた郵便物を仕分配送用回転盤の外周縁に付設された移載バスケットの受入口を介して受け取った後、前記移載バスケットの底部に開閉自在に設けられた受渡口から郵便物仕分けラインの搬送バスケットに受け渡すようにした郵便物仕分配送用移載装置であって、
郵便物受取時に移載バスケットの受入口を郵便物投入ラインに指向させた状態に持続させるとともに郵便物受渡時に移載バスケットと搬送バスケットとを同期して並進させるように揺動する移載タイミングレバーが、前記仕分配送用回転盤に軸着されていることを特徴とする郵便物仕分配送用移載装置。
【請求項２】
前記移載タイミングレバーが、機枠側固定フレームに形成した移載タイミング軌道に沿って誘導される追動腕部と前記移載バスケットを吊着して前記仕分配送用回転盤上の円弧状案内レールに沿って滑動自在に誘導される吊着腕部とで構成されていることを特徴とする請求項１記載の郵便物仕分配送用移載装置。
【発明の詳細な説明】
【０００１】
【発明の属するの技術分野】
本発明は、郵便物の仕分け先データ読み取り機構などを備えた郵便物投入ラインから送り込まれた郵便物を受け取った後、郵便物の仕分け先データに応じて仕分ける郵便物仕分けラインの搬送バスケットに受け渡すようにした郵便物仕分配送用移載装置に関する。
【０００２】
【従来の技術】
従来の郵便物仕分装置は、例えば、特公昭６３−８８２４号公報に開示されているように、郵便物を仕分けするための搬送箱の動きに同期して郵便物保持部がシフトしながら搬送箱に郵便物を投入する同期移載部を備えており、この郵便物保持部が搬送箱の移動と同期して一定区間移動しながら郵便物を搬送箱に移載するようになっている。
【０００３】
【発明が解決しようとする課題】
しかしながら、従来のような郵便物仕分装置は、移動中の搬送箱に郵便物保持部から郵便物をタイミングよく移載する必要があるが、搬送箱の受取口が郵便物保持部に真っすぐに対向するのは一瞬であり、その後は両者の対向状態が徐々に「く」の字状に屈曲した配置状態となって解離していくため、両者間の移載可能時間が短く、また、移載タイミングが少しでもズレた場合には移載不良を生じるという問題があり、このような問題を解決しようとすると、搬送箱の受取口を大きな間口に改造しなければならず、連続配置する搬送箱の取り付けピッチが増大して搬送仕分け効率が著しく低下するという問題があった。
【０００４】
そこで、本発明の目的は、前述したような従来の技術における問題を解決するものであって、郵便物投入ラインから送り込まれた郵便物の移載可能時間を延長して郵便物仕分けラインの搬送バスケットにタイミング良く確実に移載することができる郵便物仕分配送用移載装置を提供することである。
【０００５】
【課題を解決するための手段】
まず、本請求項１記載の発明は、郵便物投入ラインから送り込まれた郵便物を仕分配送用回転盤の外周縁に付設された移載バスケットの受入口を介して受け取った後、前記移載バスケットの底部に開閉自在に設けられた受渡口から郵便物仕分けラインの搬送バスケットに受け渡すようにした郵便物仕分配送用移載装置であって、郵便物受取時に移載バスケットの受入口を郵便物投入ラインに指向させた状態に持続させるとともに郵便物受渡時に移載バスケットと搬送バスケットとを同期して並進させるように揺動する移載タイミングレバーが、前記仕分配送用回転盤に軸着されていることによって、前述したような課題を解決するものである。
【０００６】
また、本請求項２記載の発明は、請求項１記載の発明の構成に加えて、前記移載タイミングレバーが、機枠側固定フレームに形成した移載タイミング軌道に沿って誘導される追動腕部と前記移載バスケットを吊着して前記仕分配送用回転盤上の円弧状案内レールに沿って滑動自在に誘導される吊着腕部とで構成されていることによって、前述したような課題をさらに解決するものである。
【０００７】
なお、本発明の郵便物仕分配送用移載装置で言うところの「郵便物」とは、雑誌などの偏平物を封入または封緘したシート状郵便物を意味するものである。そして、「郵便物投入ライン」とは、郵便物の仕分け先データ読み取り機構などを備えており、郵便物を仕分け配送する後続ラインに送り込むためのラインを意味するものである。また、「郵便物仕分けライン」とは、前述した郵便物投入ラインの仕分け先データ読み取り機構などで読み取った仕分け先データに基づいて、搬送バスケット中の郵便物を所定の仕分け先に応じた郵便物回収ボックスなどに搬送するためのラインを意味するものである。
【０００８】
【作用】
本発明の郵便物仕分配送用移載装置は、上述した構成を備えていることによって、郵便物投入ラインから送り込まれた郵便物を移載バスケットを介して受け取った後、この移載バスケットから郵便物仕分けラインの搬送バスケットに受け渡される。
特に、郵便物投入ラインから送り込まれた郵便物を移載する移載バスケットが外周縁に付設された仕分配送用回転盤に、移載タイミングレバーが軸着されていることにより、郵便物受取時に移載バスケットの受入口を郵便物投入ラインに指向させた状態に持続させるとともに郵便物受渡時に移載バスケットと搬送バスケットとを同期して並進させるので、郵便物投入ラインから移載バスケットへの郵便物受取時、および、移載バスケットから搬送バスケットへの郵便物受渡時におけるそれぞれの移載可能時間が充分に確保される。
【０００９】
【発明の実施の形態】
以下、本発明の郵便物仕分配送用移載装置の好ましい実施の形態である実施例を図面に基づいて説明する。図１は、本発明の一実施例である郵便物仕分配送用移載装置の設置態様を示した正面図、図２は、図１に示す郵便物仕分配送用移載装置の設置態様を示した平面図、図３は、郵便物仕分配送用移載装置の全体図、図４は、郵便物仕分配送用移載装置の平面図、図５は、移載タイミングレバーの追動腕部と機枠側固定フレームの移載タイミング軌道との配置図、図６は、移載タイミングレバーの吊着腕部と仕分配送用回転盤の円弧状案内レールとの配置図、図７は、移載タイミングレバーを拡大した平面図、図８は、移載タイミングレバーと移載バスケットとの動作図である。
【００１０】
本実施例の郵便物仕分配送用移載装置１００は、図１乃至図２に示すように、郵便物Ｍの仕分け先データ読み取り器などを備えた郵便物投入ラインＩから送り込まれる郵便物Ｍを仕分配送用回転盤１１０の外周縁に付設された移載バスケット１２０を介して受け取った後、この移載バスケット１２０から郵便物仕分けラインＯの搬送バスケットＢに順次受け渡すようにしたものである。
なお、図１乃至図２における郵便物仕分配送用移載装置１００は、郵便物Ｍの種別、仕分け作業効率などを考慮して郵便物仕分けラインＯの供給側に２基設置されている。また、図１乃至図２における符号Ｃは、搬送バスケットＢから郵便物Ｍを仕分け回収するための郵便物回収ボックスであり、矢印は、郵便物仕分けラインＯを周回しながら移載バスケット１２０の真下を同期して移動する搬送バスケットＢの移動方向を示している。
【００１１】
そこで、本実施例の郵便物仕分配送用移載装置１００について図３乃至図８に基づき詳細に説明する。
まず、前記仕分配送用回転盤１１０は、機枠側に軸支されてその下方を周回する搬送バスケットＢと同一方向に回転自在となっており、図示しないが機枠側上部に設けた同期エンコーダーにより、搬送バスケットＢを周回させる図示しない鎖車と同期回転して、移載バスケット１２０から搬送バスケットＢへの郵便物受渡時における移載可能時間が充分に確保されるようになっている。
この仕分配送用回転盤１１０は、移載バスケット１２０を滑動自在に誘導することができる円弧状案内レール１１１と移載バスケット１２０を揺動自在にするための抜き穴１１２が設けられている。
【００１２】
そして、前記仕分配送用回転盤１１０の外周縁に一定間隔で複数付設された箱状の移載バスケット１２０は、図３に示すように、郵便物投入ラインＩから送り込まれた郵便物Ｍを受け取るための受入口１２１をバスケット外周側に備えているとともに、郵便物仕分けラインＯの搬送バスケットＢに受け渡すための開閉自在な底蓋からなる受渡口１２２をバスケット底部に備えている。
なお、図中の符号１２４は、移載バスケット本体１２３を仕分配送用回転盤１１０側に取り付けるための取付ブラケットであり、符号１２５は、受渡口１２２を開閉自在とするロック機構である。
【００１３】
また、本実施例の郵便物仕分配送用移載装置１００の機枠側固定フレーム１３０には、郵便物投入ラインＩから郵便物Ｍを移載バスケット１２０へ受け渡すための移載開始タイミングと移載可能時間を任意に設定することができる移載タイミング軌道１３１が形成されており、相対的に回動する仕分配送用回転盤１１０の移載タイミングレバー１４０などと協動して、郵便物受取時に移載バスケット１２０の受入口１２１を郵便物投入ラインＩに指向させた状態に持続させるとともに郵便物受渡時に移載バスケット１２０と搬送バスケットＢとを同期して並進させるようになっている。
【００１４】
さらに、前記移載タイミングレバー１４０は、図４に示すように、仕分配送用回転盤１１０の外周縁に一定間隔で複数付設された移載バスケット１２０に対応してその内方円周上に一定間隔で複数軸着されているとともに、図５に示すように、前述した移載タイミング軌道１３１に沿って誘導される追動腕部１４１と、図６に示すように、移載バスケット１２０を吊着して仕分配送用回転盤１１０上の円弧状案内レール１１１に沿って滑動自在に誘導される吊着腕部１４２とで構成され、図７に示すように、全体としてＬ字状のレバー形状を呈している。
なお、図７における符号１４３は、移載バスケット１２０を揺動自在にするための摺動調整用長穴である。
【００１５】
一方、本実施例の郵便物仕分配送用移載装置１００が配備される郵便物仕分けラインＯの駆動側は、図３に示すように、周回する移載バスケット１２０の真下に配置されている。図中の符号Ｄは、多数の搬送バスケットＢを連結して周回駆動するための駆動チェーンであり、符号Ｅは、移載バスケット１２０を安定して周回させるためのサイドローラである。
なお、この郵便物仕分けラインＯの駆動側には、図示しないが、上述した移載バスケット１２０における受渡口１２２のロック機構１２５を開閉するためのロックピン、解除レバーなどを備えた開閉機構が設けられている。
【００１６】
このようにして得られた本実施例の郵便物仕分配送用移載装置１００は、郵便物受取時に移載バスケット１２０の受入口１２１を郵便物投入ラインＩに指向させた状態に持続させるとともに郵便物受渡時に移載バスケット１２０と搬送バスケットＢとを同期して並進させることができるため、従来のような移載タイミングのズレによる移載不良も生じにくい。
したがって、移載バスケット１２０への郵便物受取時や搬送バスケットＢへの郵便物受渡時に、移載タイミングを大幅に確保して確実に移載することができ、また、郵便物受取時に移載タイミングレバー１４０が移載タイミング軌道１３１によって円滑に誘導されて回動するため、移載バスケット１２０の受入口１２１が郵便物投入ラインＩに指向する状態を安定して確実に持続させることができ、しかも、移載タイミング軌道１３１の軌道形状に応じて様々な移載開始タイミングと移載可能時間を設定することができるなど、その効果は甚大である。
【００１７】
【発明の効果】
以上に説明したように、本発明に係る郵便物仕分配送用移載装置は、郵便物投入ラインから送り込まれた郵便物を仕分配送用回転盤の外周縁に付設された移載バスケットの受入口を介して受け取った後、前記移載バスケットの底部に開閉自在に設けられた受渡口から郵便物仕分けラインの搬送バスケットに受け渡すようにした郵便物仕分配送用移載装置であって、郵便物受取時に移載バスケットの受入口を郵便物投入ラインに指向させた状態に持続させるとともに郵便物受渡時に移載バスケットと搬送バスケットとを同期して並進させるように揺動する移載タイミングレバーが前記仕分配送用回転盤に軸着されていることによって、以下のような本発明に特有の効果を奏する。
【００１８】
本請求項１に係る郵便物仕分配送用移載装置によれば、郵便物投入ラインから送り込まれた郵便物を移載する移載バスケットが外周縁に付設された仕分配送用回転盤に、移載タイミングレバーが軸着されていることにより、郵便物受取時に移載バスケットの受入口を郵便物投入ラインに指向させた状態に持続させるとともに郵便物受渡時に移載バスケットと搬送バスケットとを同期して並進させることができるため、従来のような移載タイミングのズレによる移載不良も生じにくく、郵便物投入ラインから移載バスケットへの郵便物受取時、および、移載バスケットから搬送バスケットへの郵便物受渡時におけるそれぞれの移載可能時間、すなわち、移載タイミングを大幅に確保することができ、郵便物投入ラインから送り込まれた郵便物を郵便物仕分けラインの搬送バスケットに確実に移載することができる。
【００１９】
また、本請求項２に係る発明は、請求項１に係る発明の効果に加えて、前記移載タイミングレバーが機枠側固定フレームに形成した移載タイミング軌道に沿って誘導される追動腕部と前記移載バスケットを吊着して前記仕分配送用回転盤上の円弧状案内レールに沿って滑動自在に誘導される吊着腕部とで構成されていることにより、郵便物受取時において仕分配送用回転盤に軸着されている移載タイミングレバーが機枠側固定フレームの移載タイミング軌道によって円滑に誘導されて回動するため、吊着腕部に吊着された移載バスケットの受入口が郵便物投入ラインに指向する状態を安定して確実に持続させることができ、また、移載タイミング軌道の軌道形状に応じて様々な移載開始タイミングと移載可能時間を設定することができる。
【図面の簡単な説明】
【図１】本発明の一実施例である郵便物仕分配送用移載装置の設置態様を示した正面図。
【図２】図１に示す郵便物仕分配送用移載装置の設置態様を示した平面図。
【図３】郵便物仕分配送用移載装置の全体図。
【図４】郵便物仕分配送用移載装置の平面図。
【図５】移載タイミングレバーの追動腕部と機枠側固定フレームの移載タイミング軌道との配置図。
【図６】移載タイミングレバーの吊着腕部と仕分配送用回転盤の円弧状案内レールとの配置図。
【図７】移載タイミングレバーを拡大した平面図。
【図８】移載タイミングレバーと移載バスケットとの動作図。
【符号の説明】
１００　・・・　郵便物仕分配送用移載装置
１１０　・・・　仕分配送用回転盤
１１１　・・・　円弧状案内レール
１１２　・・・　抜き穴
１２０　・・・　移載バスケット
１２１　・・・　受入口
１２２　・・・　受渡口
１２３　・・・　移載バスケット本体
１２４　・・・　取付ブラケット
１２５　・・・　ロック機構
１３０　・・・　機枠側固定フレーム
１３１　・・・　移載タイミング軌道
１４０　・・・　移載タイミングレバー
１４１　・・・　追動腕部
１４２　・・・　吊着腕部
１４３　・・・　摺動調整用長穴
Ｏ　・・・　郵便物仕分けライン
Ｉ　・・・　郵便物投入ライン
Ｍ　・・・　郵便物
Ｂ　・・・　搬送バスケット
Ｃ　・・・　郵便物回収ボックス
Ｄ　・・・　駆動チェーン
Ｅ　・・・　サイドローラ
【図１】
2004026458.tif 000003
【図２】
2004026458.tif 000004
【図３】
2004026458.tif 000005
【図４】
2004026458.tif 000006
【図５】
2004026458.tif 000007
【図６】
2004026458.tif 000008
【図７】
2004026458.tif 000009
【図８】
2004026458.tif 000010